(57)【要約】      （修正有）【課題】立体絵における視覚面による装飾的価値を高めることができるとともに、当該立体絵に対し更なる付加価値を付与することができる立体絵用額縁を提供する。【解決手段】前面に配設される平額本体２と、該平額本体２の背部に設けられる箱状収容部３とで構成される立体絵用額縁であって、箱状収容部３内に音響発生部３０を具備する。また、箱状収容部３内に芳香剤収容部２０を具備することが好ましい。さらに音響発生部３０と芳香剤収容部２０とが箱状収容部３に着脱自在に装着されていることが好ましい。さらにまた、箱状収容部３に、立体絵または平額本体に設置された照明用の電源５０が着脱自在に装着されていることが好ましい。【選択図】図２
0003150724.tif 000002
【実用新案登録請求の範囲】
【請求項１】
前面に配設される平額本体と、該平額本体の背部に設けられる箱状収容部とで構成される立体絵用額縁であって、前記箱状収容部内に音響発生部を具備することを特徴とする立体絵用額縁。
【請求項２】
前記箱状収容部内に芳香剤収容部を具備する請求項１記載の立体絵用額縁。
【請求項３】
前記音響発生部と前記芳香剤収容部とが前記箱状収容部に着脱自在に装着されている請求項２記載の立体絵用額縁。
【請求項４】
前記箱状収容部に、立体絵または平額本体に設置された照明用の電源が着脱自在に装着されている請求項１〜３のうちいずれか一項記載の立体絵用額縁。
【請求項５】
前記箱状収容部に、予備電源等が収容される収納スペースを有する請求項１〜４のうちいずれか一項に記載の立体絵用額縁。
【請求項６】
前記箱状収容部の背面に、音響基盤を目視できる透過窓を有する請求項１〜５のうちいずれか一項に記載の立体絵用額縁。
【考案の詳細な説明】
【技術分野】
【０００１】
本考案は、平面の絵を立体的に作り上げた立体絵を飾る立体絵用額縁に関し、詳しくは、立体絵用額縁から心地よい香りと音響を発生させることができる立体絵用額縁に関する。
【背景技術】
【０００２】
絵画や写真等を飾る額縁には、油絵を飾る油絵額、賞状を飾る賞状額、水彩画を飾るデッサン額、日本画や色紙を飾る和額、各種勲章を入れる勲章額等がある。これら一般的な額縁は、飾り物を収容させる平板状の額縁本体と、額縁本体の前面に装着される、保護効果や高級感を得るための透過性を有するガラス板とで構成されている。
【０００３】
また、額縁に入れられる飾り物として、複数枚の同じカードやプリントを部分的に切って立体的に組み合わせることにより、平面の絵を立体的に作り上げていく立体絵があり、この立体絵を飾るための箱状に形成された額縁も開発されている。
【０００４】
かかる立体絵を飾るための額縁の先行技術として、例えば、複数のデコパージュを装飾するデコパージュ装飾額縁に係り、任意の写真を複数のデコパージュ内に配置して装飾的価値を高めることができるデコパージュ装飾額縁が報告されている（例えば特許文献１参照）。
【０００５】
特許文献1記載のデコパージュ装飾額縁は、同一又は類似の絵柄を積層して該絵柄を立体的に形成する複数のデコパージュを装飾するデコパージュ装飾額縁であり、デコパージュにより周囲が囲まれる空間を持つデコパージュ板を備え、該デコパージュ板が、前記デコパージュに囲まれる空間内を開口した写真窓を持つこと、又は前記デコパージュに囲まれる空間内に写真を貼り付けるための領域を構成することを特徴とするものである。
【先行技術文献】
【特許文献】
【０００６】
【特許文献１】特開２００４−９０２７６号公報
【考案の概要】
【考案が解決しようとする課題】
【０００７】
特許文献１記載のデコパージュ装飾額縁は、任意の写真を複数のデコパージュ内に配置して装飾的価値を高めることができることが記載されている。しかしながら、上述のデコパージュ装飾額縁を始めとしてこれまでの立体絵用額縁においては、いずれも視覚的美観の向上による特性に限定されており、それ以外の付加価値を付与するものではなかった。
【０００８】
そこで本考案の目的は、立体絵における視覚面による装飾的価値を高めることができるとともに、当該立体絵に対し更なる付加価値を付与することができる立体絵用額縁を提供することにある。
【課題を解決するための手段】
【０００９】
本考案者は、上記課題を解決するために鋭意検討した結果、立体絵用額縁に芳香効果や音響効果を付与したところ、かかる効果が立体絵をより引き立たせ、見るものをより魅了することを見出し、本考案を完成するに至った。
【００１０】
即ち、本考案の立体絵用額縁は、前面に配設される平額本体と、該平額本体の背部に設けられる箱状収容部とで構成される立体絵用額縁であって、前記箱状収容部内に音響発生部を具備することを特徴とするものである。
【００１１】
本考案の立体絵用額縁においては、前記箱状収容部内に芳香剤収容部を好適に具備することができる。また、前記芳香剤収容部と音響発生部とは、箱状収容部に着脱自在に装着することができる。さらに、前記箱状収容部には、立体絵または平額本体に設置された照明用の電源を好適に着脱自在に装着することができる。さらにまた、前記箱状収容部には、予備電源等が収容される収納スペースを設けることができる。さらにまた、前記箱状収容部の背面には、音響基盤を目視できる透過窓を好適に設けることができる。
【考案の効果】
【００１２】
本考案によれば、立体絵における視覚面による装飾的価値を高めるとともに、音響効果や芳香効果により、立体絵に対し一層の付加価値を付与することができる。
【００１３】
また、前記箱状収容部内に、予備電源等を収容する収納スペースを設けることにより、利便性や実用面においても優れた効果が得られる。
【図面の簡単な説明】
【００１４】
【図１】本考案の好適例の立体絵用額縁の全体斜視図である。
【図２】前記立体絵用額縁の内部構造を示す斜視図である。
【図３】前記立体絵用額縁の断面図である。
【図４】前記立体絵用額縁の正面図である。
【図５】前記立体絵用額縁の背面図である。
【図６】前記立体絵用額縁の側面図である。
【図７】前記立体絵用額縁の他の側面図である。
【考案を実施するための形態】
【００１５】
以下、本考案における立体絵用額縁の実施の形態を図面に基づいて説明する。
本考案の立体絵用額縁は、平面の絵を立体的に作り上げた立体絵を飾る立体絵用の額縁であって、図１に示す本考案の好適例の立体絵用額縁１は、前面に配設される平額本体２と、該平額本体２の背部に設けられる箱状収容部３とで構成されている。
【００１６】
立体絵用額縁１における平額本体２は、例えば、木材、プラスチック、金属等の素材で形成され、その立体絵に応じて適宜選定される。立体絵用額縁１の正面中央部は、立体絵Ａを収容する立体絵収容部１０を有する。
【００１７】
立体絵収容部１０に飾られる立体絵Ａは、図３に示すように、複数枚の同じカードやプリントを部分的に切って立体的に組み合わせることにより平面の絵を立体的に作り上げていくデコパージュの立体技法により形成され、それ自体既知の技法である。また、立体絵Ａまたはその収容部１０の側面、上下面のいずれかの箇所には、発光ダイオード（ＬＥＤ）からなる照明灯１１が設置されている。
【００１８】
図２に示すように、本考案の好適例の立体絵用額縁の箱状収容部３は、平額本体２の背部に設けられており、内部には立体絵収容部１０、芳香剤収容部２０、音響発生部３０、音響用電源４０、照明用電源５０、音響基盤６０とが具備されている。また、箱状収容部３の背面には背面板７０が着脱自在に装着されている（図３参照）。さらに、箱状収容部３の底面８には、立体絵用額縁１を立て掛ける置額用の取付脚９が着脱自在に備えられている。
【００１９】
芳香剤収容部２０は、引き出し自在のケース２１を有し、そのケース２１内に芳香剤２２が収容されている。芳香剤２２は特に限定されるものではないが、ミントやラベンダー等のハーブを好適に用いることができる。また、飾る立体絵に応じてコーヒー豆やその他の芳香剤を収容してもよい。
【００２０】
また、芳香剤収容部２０が配設される箱状収容部３の側面４には、複数の開孔部５が穿孔されている。芳香剤収容部２０を引き出し自在に形成したことで、場の雰囲気や気分に応じて芳香剤の種類を適宜に入替えることができる。
【００２１】
音響発生部３０は、引き出し自在のケース３１と、ケース３１内に収容されたスピーカー（図示せず）とを備える。また、音響発生部３０には、音色を設定できる音色設定装置（図示せず）を設けてもよい。音響発生部３０を引き出し自在に形成したことで、音楽の種類に応じてスピーカーの設定を調節することができる。さらに、音響発生部３０が配設される箱状収容部３の側面６には、音響発生用の複数の開孔部７が穿孔されている。
【００２２】
音響基盤６０へは、箱状収容部３の側面４に設置された音響用電源４０より送電される。音響用電源４０のケース４１内には複数の乾電池４２が収容される。なお、音響用電源４０は、図７に示すように、箱状収容部３の側面４の開孔４３から容易に着脱できるように装着してもよい。
【００２３】
図２に示す照明用電源５０にて、立体絵Ａが飾られる立体絵収容部１０の照明灯１１（ＬＥＤ）を点灯させる。照明用電源５０のケース５１内には複数の乾電池（図示せず）が収容されている。また、照明用電源音５０は、図６に示すように、箱状収容部３の側面６の開孔５２から容易に着脱できるように装着してもよい。さらに、照明用電源５０のケース５１の側面には点灯用スイッチ５３が、箱状収容部３の側面６上部には音響用スイッチ５４が設置されている。
【００２４】
なお、図示する好適例の立体絵用額縁１においては、音響用電源４０や照明用電源５０の電源として乾電池が使用されているが、これに限らず、ＡＣアダプターによる商業用電源を利用することもできる。
【００２５】
立体絵収容部１０の背部に装着された音響基盤６０は、ＣＤやパソコン等からダウンロードした音楽データを任意に選択し、音響発生部３０から音楽を発生させるものであり、それ自体は既存のものを取り付けることができる。
【００２６】
本考案の他の好適例として、箱状収容部３に、予備電源等を収容する収納スペース８０を設けてもよい（図２参照）。図示する収納スペース８０は、芳香剤収容部２０と音響発生部３０との間に形成されており、予備用の乾電池やＡＣアダプター、電源コード、置額用の取付脚等の必要備品が収納される。収納スペース８０を設けることで、利便性や実用面においても優れた効果が得られる。
【００２７】
また、図５に示すように、箱状収容部３の背面板７０には、音響基盤６０を目視できる透過窓７１が設けられている。かかる透過窓７１を設けることで、音響基盤６０の表面に記載された曲名等を外部より確認することができる。
【００２８】
上述した立体絵用額縁１によれば、立体絵における視覚面による装飾的価値を高めるとともに、芳香効果や音響効果による付加価値を付与することができる。
【００２９】
また、立体絵用額縁１において、芳香剤収容部と音響発生部とを箱状収容部に着脱自在に装着することで、芳香剤の入替えや音色の設定調節を容易に行うことが可能となる。
【００３０】
さらに、箱状収容部内に、予備電源等を収容する収納スペースを設けることにより、利便性や実用面においても優れた効果が得られる。
【符号の説明】
【００３１】
１  立体絵用額縁
２  平額本体
３  箱状収容部
４  側面
５  開孔部
６  側面
７  開孔部
８  底面
９  取付脚
１０  立体絵収容部
１１  照明灯
２０  芳香剤収容部
２１  ケース
２２  芳香剤
３０  音響発生部
３１  ケース
４０  音響用電源
４１  ケース
４２  乾電池
４３  開孔
５０  照明用電源
５１  ケース
５２  開孔
５３  点灯用スイッチ
５４  音楽用スイッチ
６０  音響基盤
７０  背面板
７１  透過窓
８０  収納スペース
Ａ  立体絵
【図１】
0003150724.tif 000003
【図２】
0003150724.tif 000004
【図３】
0003150724.tif 000005
【図４】
0003150724.tif 000006
【図５】
0003150724.tif 000007
【図６】
0003150724.tif 000008
【図７】
0003150724.tif 000009